(57)【要約】【課題】  空調装置の全高を薄くすることができるとともに、給気流路の空気の流れをスムーズにして給気能力の低下を防止することができる空調装置を提供すること。【解決手段】  空調装置ハウジング４と、実質上垂直方向に延びる回転軸線を中心として回転自在に配設されたデシカントロータ６と、室外から流入される空気と室内から排出される空気との間で熱交換を行うための熱交換器８と、を備えた空調装置。デシカントロータ６は水平状態に配置されて給気流路２２及び排出流路２４を跨って設けられ、熱交換器８の第１流路４６は給気流路に連通され、その第２流路４８は排出流路２４に連通されている。給気流路２２には、デシカントロータ６側と熱交換器８側とを連通する第１拡大流路部２８が設けられている。【選択図】  図１
2006266602.tif 000002
【特許請求の範囲】
【請求項１】
空調装置ハウジングと、前記空調装置ハウジング内に実質上垂直方向に延びる回転軸線を中心として回転自在に配設されたデシカントロータと、室外から流入される空気と室内から排出される空気との間で熱交換を行うための熱交換器と、を備えており、
前記空調装置ハウジングの一端側には、室外の外気を流入するための給気流入口と、室内からの空気を室外に排気するための排気排出口とが設けられ、前記空調装置ハウジングの他端側には、流入した外気を室内に給気するための室内流入口と、室内の空気を室外に流出させるための室内流出口とが設けられ、前記給気流入口と前記室内流入口とが給気流路を介して接続され、前記室内流出口と前記排気排出口とが排出流路を介して接続されており、
前記デシカントロータは前記給気流路及び前記排出流路を跨って配設され、前記熱交換器の第１流路は前記給気流路に連通され、その第２流路は前記排出流路に連通されており、
前記給気流入口を通して流入した外気は前記給気流路を通り、前記デシカントロータの片面側から他面側に流れ、更に前記熱交換器の第１流路を通って前記室内流入口から室内に流入し、前記室内流出口からの空気は前記排出流路を通り、更に前記熱交換器の前記第２流路を通り、前記デシカントロータの前記他面側から前記片面側に流れて前記排気排出口から室外に排出されることを特徴とする空調装置。
【請求項２】
前記空調装置ハウジング内の前記給気流路には、更に、前記デシカントロータと前記熱交換器との間の部位に、前記給気流路の流路面積が拡大する第１拡大流路部が設けられていることを特徴とする請求項１に記載の空調装置。
【請求項３】
前記空調装置ハウジングの一側壁の一部には外側に突出する第１突出部が設けられ、前記第１突出部によって前記第１拡大流路部が規定されていることを特徴とする請求項２に記載の空調装置。
【請求項４】
前記空調装置ハウジング内の前記排出流路には、前記デシカントロータと前記排気排出口との間の部位に、前記排出流路の流路面積が拡大する第２拡大流路部が設けられていることを特徴とする請求項２又は３に記載の空調装置。
【請求項５】
前記空調装置ハウジングの他側壁の他部には外側に突出する第２突出部が設けられ、前記第２突出部によって前記第２拡大流路部が規定されていることを特徴とする請求項４に記載の空調装置。
【発明の詳細な説明】
【技術分野】
【０００１】
本発明は、室外の外気を除湿して室内に給気するとともに、室内の空気を室外に排気して室内の換気を行う空調装置に関する。
【背景技術】
【０００２】
室内を換気するための空調装置としてデシカントロータを備えたものが知られている（例えば、特許文献１参照）。この公知の空調装置は、例えば図６に示す構成を備えている。空調装置を平面から見た簡略断面図である図６において、空調装置１０２は、空調装置ハウジング１０４、デシカントロータ１０６及び顕熱ロータ１０８を備えている。デシカントロータ１０６は空調装置ハウジング１０４内の片側（図６において左側）に配置され、顕熱ロータ１０８は空調装置ハウジング１０４内の他側（図６において右側）に配置されている。デシカントロータ１０６及び顕熱ロータ１０８は水平方向に延びる回転軸線を中心として回転自在に支持され、垂直状態に保持された状態で所定方向に回転駆動される。この空調装置１０２では、空調装置ハウジング１０４内の一側部側（図６において上側部側）に給気流路１１４が設けられ、この給気流路１１４の一端が室外に開口する給気流入口１１０に連通され、その他端が室内に開口する室内流入口１１２に連通されている。また、空調装置ハウジング１０４内の他側部側（図６において下側部側）に排出流路１２４が設けられ、この排出流路１２４の一端が室外に開口する排気排出口に連通され、その他端が室内流出口１２０に連通されている。デシカントロータ１０６及び顕熱ロータ１０８は給気流路１１４及び排出流路１２４に跨って配設され、これらロータ１０６，１０８の片側部は給気流路１１４内に位置し、それらの他側部は排出流路１２４内に位置している。
【０００３】
このような空調装置１０２においては、給気側にて給気ファン１１８が作動すると、室外の空気は矢印１１６で示すように給気流路１１４を流れ、給気流入口１１０から吸引された空気は、デシカントロータ１０６を通ることによって除湿され、更に顕熱ロータ１０８を通ることによって吸熱されて冷却され、除湿、吸熱冷却された後室内流入口１１２から室内に流入する。また、排気側にて排出ファン１２８が作動すると、室内の空気は矢印１２６で示すよう排出流路１２４を流れ、室内流出口１２０から吸引された空気は、顕熱ロータ１０８を通り、加熱ヒータ１３０通ることによって加熱され、デシカントロータ１０６を通って排気排出口１２２から室外に排出される。排出される空気が顕熱ロータ１０８を通るときには、顕熱ロータ１０８の熱が空気に放熱され、またデシカントロータ１０６を通るときには、デシカントロータ１０６の水分が空気の放湿され、この放湿によってデシカントロータ１０６の再生（除湿材の乾燥）が行われる。
【０００４】
【特許文献１】特開２００３−２４７７３２
【発明の開示】
【発明が解決しようとする課題】
【０００５】
ところが、上述した従来の空調装置１０２では、デシカントロータ１０６及び顕熱ロータ１０８が垂直方向に配置される（即ち、水平方向に延びる回転軸線を中心として回転自在に支持される）ため、空調装置１０２の全高、即ち空調装置ハウジング１０４の高さがデシカントロータ１０６及び顕熱ロータ１０８の大きさ（即ち、それらの直径）によって制約され、このことに起因して、空調装置の全高を小さくすることができず、その設置個所が制限されるという問題があった。
【０００６】
本発明の目的は、空調装置の全高を薄くすることができる空調装置を提供することである。
本発明の他の目的は、空調装置の薄型化に伴う給気能力の低下を防止することができる空調装置を提供することである。
【０００７】
本発明の更に他の目的は、給気能力の低下防止に加えて、排気流路の空気の流れをスムースにして排気能力の低下をも防止することができる空調装置を提供することである。
【課題を解決するための手段】
【０００８】
本発明の請求項１に記載の空調装置は、空調装置ハウジングと、前記空調装置ハウジング内に実質上垂直方向に延びる回転軸線を中心として回転自在に配設されたデシカントロータと、室外から流入される空気と室内から排出される空気との間で熱交換を行うための熱交換器と、を備えており、
前記空調装置ハウジングの一端側には、室外の外気を流入するための給気流入口と、室内からの空気を室外に排気するための排気排出口とが設けられ、前記空調装置ハウジングの他端側には、流入した外気を室内に給気するための室内流入口と、室内の空気を室外に流出させるための室内流出口とが設けられ、前記給気流入口と前記室内流入口とが給気流路を介して接続され、前記室内流出口と前記排気排出口とが排出流路を介して接続されており、
前記デシカントロータは前記給気流路及び前記排出流路を跨って配設され、前記熱交換器の第１流路は前記給気流路に連通され、その第２流路は前記排出流路に連通されており、
前記給気流入口を通して流入した外気は前記給気流路を通り、前記デシカントロータの片面側から他面側に流れ、更に前記熱交換器の第１流路を通って前記室内流入口から室内に流入し、前記室内流出口からの空気は前記排出流路を通り、更に前記熱交換器の前記第２流路を通り、前記デシカントロータの前記他面側から前記片面側に流れて前記排気排出口から室外に排出されることを特徴とする。
【０００９】
また、本発明の請求項２に記載の空調装置では、前記空調装置ハウジング内の前記給気流路には、更に、前記デシカントロータと前記熱交換器との間の部位に、前記給気流路の流路面積が拡大する第１拡大流路部が設けられていることを特徴とする。
【００１０】
また、本発明の請求項３に記載の空調装置では、前記空調装置ハウジングの一側壁の一部には外側に突出する第１突出部が設けられ、前記第１突出部によって前記第１拡大流路部が規定されていることを特徴とする。
【００１１】
また、本発明の請求項４に記載の空調装置では、前記空調装置ハウジング内の前記排出流路には、前記デシカントロータと前記排気排出口との間の部位に、前記排出流路の流路面積が拡大する第２拡大流路部が設けられていることを特徴とする。
【００１２】
更に、本発明の請求項５に記載の空調装置では、前記空調装置ハウジングの他側壁の他部には外側に突出する第２突出部が設けられ、前記第２突出部によって前記第２拡大流路部が規定されていることを特徴とする。
【発明の効果】
【００１３】
本発明の請求項１に記載の空調装置によれば、デシカントロータが空調装置ハウジング内に実質上垂直方向に延びる回転軸線を中心として回転自在に配設される（即ち、デシカントロータが水平方向に延びている）とともに、給気流路を流れる空気と排出流路を流れる空気との間の熱交換を行うのに熱交換器が採用されているので、空調装置ハウジングの高さを小さくすることができ、空調装置の薄型化を図ることができ、その結果、比較的高さが低い天井裏等にも空調装置を設置することができる。
【００１４】
また、本発明の請求項２に記載の空調装置によれば、空調装置ハウジング内の給気流路に、デシカントロータと熱交換器との間の部位に第１拡大流路部が設けられ、この部位の流路面積が大きくなっているので、給気流路側において、デシカントロータから熱交換器への空気の流れがスムースとなり、薄型化に伴う給気能力の低下を抑えることができる。
【００１５】
また、本発明の請求項３に記載の空調装置によれば、第１拡大流路部が空調装置ハウジングの一側壁の一部に設けられた第１突出部によって規定されているので、空調装置ハウジングの高さを低く保ちながら第１拡大流路部を設けることができる。
【００１６】
また、本発明の請求項４に記載の空調装置によれば、空調装置ハウジング内の排出流路における、デシカントロータと排気排出口との間の部位に第２拡大流路部が設けられているので、デシカントロータから排気排出口への空気流の流れがスムースとなり、空調装置ハウジングの薄型化に伴う排気能力の低下を防止することができる。
【００１７】
また、本発明の請求項５に記載の空調装置によれば、第２拡大流路部が空調装置ハウジングの他側壁の一部に設けられた第２突出部によって規定されているので、空調装置ハウジングの高さを薄く保ちながら排気能力の低下を防止することができる。
【発明を実施するための最良の形態】
【００１８】
以下、図１〜図５を参照して、本発明に従う空調装置の最良の実施形態について説明する。図１は、一実施形態の空調装置を平面から見た簡略断面図であり、図２は、図１の空調装置の外観を示す斜視図であり、図３は、図１の空調装置における熱交換器の構造を示す斜視図であり、図４は、図１におけるＩＶ−ＩＶ線による簡略断面図であり、図５は、図１におけるＶ−Ｖ線による簡略断面図である。
【００１９】
図１及び図２において、図示の空調装置２は、室外の空気を除湿して室内に給気し、室内の空気を換気するための空調装置であり、空調装置ハウジング４と、空調装置ハウジング４内に配設されたデシカントロータ６及び熱交換器８とを備えており、デシカントロータ６は空調装置ハウジング４内に片側（図１において左側）に配置され、熱交換器８が口調装置ハウジング４内に他側（図１において右側）に配置されている。
【００２０】
空調装置ハウジング４の一端壁１０（図１において左端壁）には、室外の空気を流入するための給気流入口１２と、室内からの空気を室外に排気するための排気排出口１４とが並列して設けられている。また、空調装置ハウジング４の他端壁１６（図１において右端壁）には、給気流入口１２から流入した外気を室内に給気するための室内流入口１８と、室内の空気を室外に流出させるための室内流出口２０とが並列して設けられている。この空気装置ハウジング４内には給気流路２２及び排気流路２４が設けられ、給気流路２２及び排気流路２４は第１仕切り壁３８及び熱交換器８によって区画され、後述するように熱交換器８にて相互に交差するように延びている。第１仕切り壁３８の一端部は空調装置ハウジング４の一端壁１０に接続され、その他端部は熱交換器８に接続され、この熱交換器８が空調装置ハウジング４の他端壁１６に接続されている。給気流路２２の一端（図１において左端）は給気流入口１２に接続連通され、その他端（図１において右端）は室内流入口１８に連通されている。また、排気流路２４の一端（図１において左端）は排気排出口１４に連通され、その他端（図１において右端）は室内流出口２０に連通されている。
【００２１】
デシカントロータ６は、円板形状に形成されており、例えばその直径が３００〜３６０ｍｍ程度に形成され、内部はハニカム構造などの通気構造となっておりその内部にはシリカゲルなどの除湿材が充填されている。このデシカントロータ６は、実質上垂直方向（図１において紙面に垂直な方向、図４及び図５において上下方向）に延びる回転軸線２５を中心として回転自在に支持され、給気流路２２及び排出流路２４を跨って配置され、その片側部（図１において上側部）が給気流路２２に位置し、その他側部（図１において下側部）が排出流路２４に位置し、第１仕切り壁３８を貫通して設けられている。このデシカントロータ６は、モータなどの駆動源（図示せず）に連結駆動されており、例えば１時間に４〜８回転程度の低速度で所定方向に回転駆動される。
【００２２】
空調装置ハウジング４の一端壁１０とデシカントロータ６との間には、デシカントロータ６に近接して第２仕切り壁６２が設けられ、またデシカントロータ６と熱交換器８との間には、デシカントロータ６に近接して第３仕切り壁６４が設けられている。第２及び第３仕切り壁６２，６４は空調装置ハウジング４の一側壁２６（図１において上側の側壁）から給気流路２２及び排出流路２４を通してその他側壁３２（図１において下側の側壁）まで延びている。この第２仕切り壁６２は、空調装置ハウジング４の上壁６５から下壁６７に向けて下方に延び、その下端部と下壁６７との間に連通開口６８が設けられている（図４、図５参照）。また、第３仕切り壁６４は、空調装置ハウジング４の下壁６７から上壁６５に向けて上方に延び、その上端部と上壁６５との間に連通開口７０が設けられている。このように第２及び第３仕切り壁６２，６４が設けられているので、室外から給気流路２２に流れる空気は、連通開口６８を通りデシカントロータ６の片面側から他面側（図１において紙面に対して背面側から手前側）に流れ、連通流路７０を通して熱交換器８に流れる（図４参照）。また、室内から排出流路２４に流れる空気は、熱交換器８から連通開口７０を通してデシカントロータ６に流れ、このデシカントロータ６の他面側から片面側に流れ、連通開口６８を通して排気排出口１４に流れる。
【００２３】
図３をも参照して、熱交換器８は箱形形状の熱交換器ハウジング４５を備え、この熱交換器ハウジング４５の対向する一対の側面５０，５２は開放され、その対向する他側面５４，５６はプレート５７によって閉塞され、これら他側面のプレート５７を貫通して複数のパイプ５８が設けられている。このような熱交換器８では、複数のパイプ５８によって第１流路４６が規定され、熱交換器ハウジング４５内の複数のパイプ５８の周囲空間によって第２流路４８が規定されている。図１に示すように、熱交換器ハウジング４５は空調装置ハウジング４の一側壁２６側から他側壁３２側に傾斜して配置され、このことに関連して、給気流路２２は、デシカントロータ６側においては空調装置ハウジング４の片側に配置され、室内流入口１８側においては空調装置ハウジング４の他側に配置され、また排出流路２４は、デシカントロータ６側においては空調装置ハウジング４の他側に配置され、室内流出口２０側においては空調装置ハウジング４の片側に配置されている。この熱交換器８の第１流路４６は給気流路２２に連通され、第２流路４８は排出流路２４に連通され、室外から給気流路２２を通して室内に流れる空気流が第１流路４６を流れ、室内から排出流路２４を通して室外に流れる空気流が第２流路４８を流れ、この熱交換器８において、給気流路２２と排出流路２４とが交差するように構成されている。尚、上述したとは反対に、第１流路４６を排出流路２４に連通し、第２流路４８を給気流路２２に連通するようにしてもよい。
【００２４】
この空調装置２では、更に、給気流路２２に給気ファン４０が設けられ、この実施形態では給気流入口１２の内側に配設されている。この給気ファン４０は室外の空気を給気流入口を通して給気流路２２に吸入する。また、排出流路２４には排出ファン４２が設けられ、この実施形態では室内流出口２０の内側に配設されている。この排出ファン４２は室内の空気を室内流出口２０を通して排出流路２４に吸入する。更に、排出流路２４における、デシカントロータ６と熱交換器８との間の空間に加熱手段としての加熱ヒータ４４が設けられ、この加熱ヒータ４４は、排出流路２４を流れる空気を加熱する。加熱手段としては電気的な加熱ヒータ４４でもよいが、内部に水蒸気などを通す熱交換器のようなものでよい。
【００２５】
図１とともに図４及び図５を参照して空調装置２の作動について説明すると、給気側の給気ファン４０が作動すると、室外の空気は給気流入口１２を通して吸入され、吸入された空気は、矢印６０で示すように、第２仕切り壁６２の連通開口６８を通してデシカントロータ６側に流れ、デシカントロータ６の片面側から他面側に上方に流れ、デシカントロータ６を通過する際に空気中の水分が除去される。デシカントロータ６にて除湿された空気は第３仕切り壁６４の連通開口７０を通して熱交換器８に流れ、熱交換器８の第１流路４６を通り、室内流入口１８を通して室内（空調を行う空間）に流れる。また、排気側の排出ファン４２が作動すると、室内の空気は室内流出口２０から吸引され、吸入された空気は、矢印６６で示すように、熱交換器８の第２流路４８を流れ、加熱ヒータ４４で加熱される。熱交換器８においては、第１流路４６を流れる空気（室外からの空気）と第２流路４８を流れる空気（室内からの空気）との間で熱交換が行われ、この熱交換によって第１流路４６を流れる空気は冷却されて室内に送給される一方、第２流路４８を流れる空気は加熱され、このように加熱された空気は加熱ヒータ４４で更に加熱される。加熱後の空気は、第３仕切り壁６４の連通開口７０を通ってデシカントロータ６側に流れ、このデシカントロータ６の他面側から片面側に流れ、デシカントロータ６を通過するときに充填された除湿材の除湿（除湿材の再生）が行われる（デシカントロータ６の回転によって、かく再生された除湿材が給気流路２２に移動して空気中の水分の除湿が行われる）。デシカントロータ６の除湿により加湿した空気は、第２仕切り壁６２の連通開口６８を通して流れ、排気排出口１４から室外に排出される。
【００２６】
上述した空調装置においては、上述したように、室外から給気流路２２を通して流れる空気は、デシカントロータ６によって除湿され、熱交換器８において冷却された後に室内に送給され、また室内から排出流路２４を通して流れる空気は、熱交換器８において加熱され、加熱ヒータ４４により更に加熱され、デシカントロータ６によって加湿された後に室外に排出され、このようにして室内の空調が行われる。
【００２７】
この空調装置２においては、デシカントロータ６を水平状態に配置し、且つ給気と排気との熱交換に熱交換器８を採用しているので、空調装置ハウジング４の薄型化を達成することができいるが、このような薄型化を行うと、給気流路２２側において、デシカントロータ６の他面側と空調装置ハウジング４の上壁６５との間の空間が小さくなり、特に第３仕切り壁６４の連通開口７０近傍において空気の流れが悪くなる傾向にある。即ち、図４から理解されるように、デシカントロータ６側においては、給気流路２２を流れる空気は第３仕切り壁６４に当たってこれに沿って上方に流れる傾向にあり、それ故に、第３仕切り壁６４の連通開口７０近傍において圧力の高い空気流が生じ、所謂エアカーテンが発生する傾向にある。このようにエアカーテンが発生すると、デシカントロータ６を通過した空気（特に、連通開口７０から離れた部位を通過した空気）が連通開口７０に流れ難くなり、その結果、熱交換器８側への空気の流れが悪くなり、給気能力が低下するようになる。また、排出流路２４側においても、デシカントロータ６の片面側と空調装置ハウジング４の下壁６７との間の空間が小さいことに起因して、上述したと同様の傾向があり、第２仕切り壁６２の連通開口６８近傍においても所謂エアカーテンが発生してデシカントロータ６を通過した空気（特に、連通開口６８から離れた部位を通過した空気）が連通開口６８に流れ難くなり、その結果、排気排出口１４への空気の流れが悪くなり、排気能力が低下するようになる。
【００２８】
空調装置ハウジング４の薄型化に伴うこのような不都合を解消するために、この実施形態では、更に、次のように構成されている。再び図１及び図２を参照して、空調装置ハウジング４の一側壁２６（図１において上側の側壁、図２において左上側の側壁）には、外側に突出する第１突出部３０が設けられ、この第１突出部３０によって第１拡大流路部２８が規定され、この第１拡大流路部２８は第３仕切り壁６４を通して延びる。この第１拡大流路部２８は給気流路２８の流路面積を拡大し、デシカントロータ６を一端面側から他端面側に通過した空気は、第３仕切り壁６４の連通開口７０及び第１拡大流路部２８を通して熱交換器８側に流れる。この第１拡大流路部２８は第３仕切り壁６４の片側から他側に延びるように設けることが重要であり、図１に示すように、デシカントロータ６の片側の最外側端（図１において上側の最外側端）から熱交換器８の熱交換器ハウジング４５まで延びるように設けるのが好ましい。尚、このことに関連して、デシカントロータ６の片面側の空気がその内部を通らずに熱交換器８側に流れるのを防止するために、第１仕切り壁３８からデシカントロータ６の上記最外側端までの範囲にわたって、空調装置ハウジング４の下壁６７からデシカントロータ６の周側面に沿ってその上端まで延びる補助仕切り壁（図示せず）が設けられる。
【００２９】
このように第１拡大流路部２８を設けることによって、デシカントロータ６を通して除湿された空気は、第３仕切り壁６４の連通開口７０及び第１拡大流路部２８を通して熱交換器８側に流れ、第１拡大流路部２８による流路面積の増大によって所謂エアカーテンの発生のなくなり、デシカントロータ６側から熱交換器８側への空気の流れがスムースとなり、給気能力の低下を防止することができる。この第１突出部３０は、デシカントロータ６の外径が例えば３００〜３５０ｍｍである場合、例えば３０〜３５ｍｍ程度外側に突出させて第１流路拡大部２８を設けることによって、給気流路２２の空気流の圧力損失を約５０％程度低減させることができる。
【００３０】
この第１流路拡大部を形成するための第１突出部は、空調装置ハウジング４の上壁６５に、又は一側壁３０から上壁６５にわたって設けるようにしてもよいが、上壁６５に設けた場合に、空調装置ハウジング４の上方に幾分突出し、空調装置２の全高が幾分高くなるようになる。
【００３１】
また、空調装置ハウジング４の他側壁３２（図１において下側の側壁、図２において左下側の側壁）には、外側に突出する第２突出部３６が設けられ、この第２突出部３６によって第２拡大流路部３４が規定され、この第２拡大流路部３４は第２仕切り壁６２を通して延びる。この第２拡大流路部３４は排出流路２４の流路面積を拡大し、デシカントロータ６を他端面側から一端面側に通過した空気は、第２仕切り壁６２の連通開口６８及び第２拡大流路部３４を通して排気排出口１４側に流れる。この第２拡大流路部３４は第２仕切り壁６２の片側から他側に延びるように設けることが重要であり、図１に示すように、デシカントロータ６の他側の最外側端（図１において下側の最外側端）から空調装置ハウジング４の一端壁１０まで延びるように設けるのが好ましい。尚、このことに関連して、デシカントロータ６の他面側の空気がその内部を通らずに排気排出口１４側に流れるのを防止するために、第１仕切り壁３８からデシカントロータ６の上記他側の最外側端までの範囲にわたって、空調装置ハウジング４の上壁６５からデシカントロータ６の周側面に沿ってその下端まで延びる補助仕切り壁（図示せず）が設けられる。
【００３２】
このように第２拡大流路部３４を設けることによって、デシカントロータ６の再生に用いられた空気は、第２仕切り壁６２の連通開口６８及び第２拡大流路部３４を通して排気排出口１４側に流れ、上述したと同様に、第２拡大流路部３４による流路面積の増大によって所謂エアカーテンの発生のなくなり、デシカントロータ６側から排気排出口１４側への空気の流れがスムースとなり、排気能力の低下を防止することができる。この第２突出部３６は、第１突出部３０と同様の大きさに形成される。
【００３３】
この第２流路拡大部を形成するための第２突出部は、空調装置ハウジング４の下壁６７に、又は他側壁３２から下壁６７にわたって設けるようにしてもよいが、下壁６７に設けた場合に、空調装置ハウジング４の下方に幾分突出し、空調装置２の全高が幾分高くなるようになる。
【００３４】
以上、本発明に従う空調装置の一実施形態について説明したが、本発明はかかる実施形態に限定されるものではなく、本発明の範囲を逸脱することなく種々の変形乃至修正が可能である。
【００３５】
例えば、上述した実施形態では、給気流路２２に第１拡大流路部２８を設け、排出流路２４に第２流路拡大部３４を設け、給気能力及び排気能力の改善を図っているが、特に給気能力の改善を目的とする場合には、第２流路拡大部３４を省略することもできる。
【００３６】
また、例えば、上述した実施形態では、熱交換器ハウジング４５内に複数本のパイプ５８（第１流路４６を規定する）を設けた形態のものを用いているが、その他の形態のもの、例えば複数の波状プレートを相互に直交するように積層させた形態のものを用いるようにしてもよい。
【図面の簡単な説明】
【００３７】
【図１】一実施形態の空調装置を平面から見た簡略断面図である。
【図２】図１の空調装置の外観を示す斜視図である。
【図３】図１の空調装置における熱交換器を示す斜視図である。
【図４】図１におけるＩＶ−ＩＶ線による断面図である。
【図５】図１におけるＶ−Ｖ線による断面図である。
【図６】従来の空調装置を平面から見た簡略断面図である。
【符号の説明】
【００３８】
２  空調装置
４  空調装置ハウジング
６  デシカントロータ
８  熱交換器
１２  給気流入口
１４  排気排出口
１８  室内流入口
２０  室内流出口
２２  給気流路
２４  排出流路
２５  デシカントロータの回転軸線
２８  第１拡大流路部
３０  第１突出部
３４  第２拡大流路部
３６  第２突出部
４６  第１流路
４８  第２流路
【図１】
2006266602.tif 000003
【図２】
2006266602.tif 000004
【図３】
2006266602.tif 000005
【図４】
2006266602.tif 000006
【図５】
2006266602.tif 000007
【図６】
2006266602.tif 000008